(57)【要約】【課題】１枚のシートを折るだけで組み立てが出来、強度が高く、見栄えの良いダンボール製スツールを提供する。【解決手段】本発明は、三角形と台形からなる１枚のシートを折り曲げて組み立てられるスツールであって、前記１枚のシートは、三角形と台形を組み合わせた４つの頂部構成部材からなる頂部と、４つの前記頂部構成部材と隣接する５つの二等辺三角形の側部構成部材Ａ、および５つの前記側部構成部材Ａと隣接する４つの二等辺三角形の側部構成部材Ｂとからなる側部と、前記４つの側部構成部材Ｂと隣接する４つの二等辺三角形の側部内面構成部材Ａと、４つの側部内面構成部材Ａと隣接する三角形をした８つの側部内面構成部材Ｂとからなる側部内面と、から構成されることを特徴とする。【選択図】図１
2007244779.tif 000002
【特許請求の範囲】
【請求項１】
座部を四角形状に形成するとともに、前記座部を所定高さに支える側壁が、前記座部の各辺から逆三角形の面および前記座部の角部から該角部を頂点とする三角形の面で形成され、１枚のシートから折り曲げて組み立てられることを特徴とするスツール。
【請求項２】
前記シートは、折り線を介して前記座部を形成する少なくとも４つの頂部構成部材からなる座部形成部と、前記側壁を形成する側壁部と、該側壁部を補強する補強部とを備え、
前記側壁部における前記逆三角形の面及び三角形の面との境界線を折り曲げることにより、前記頂部構成部材を組み合わせて形成されていることを特徴とする請求項１に記載のスツール。
【請求項３】
前記頂部構成部材は、前記折り線を底辺とする三角形の一辺から台形状に延出させて形成したことを特徴とする請求項１または２に記載のスツール。
【発明の詳細な説明】
【技術分野】
【０００１】
本発明は、１枚のシートを折り曲げてできる頑丈なスツールに関するものである。
【背景技術】
【０００２】
金属製または木製の椅子や足台などのスツールは頑丈ではあるものの重いため持ち運びに労力を要するほか、イベント会場など多数の椅子を扱う場合などにはその運搬、および使用前後の収納、などにも難点がある。
他方、包装材料として使用されているダンボールは、安価、軽量で、緩衝性を有するほか、リサイクル可能なため使用後廃棄処分することも出来るという利点がある。
このため、これまでもダンボール製の椅子が数多く提案されているが、組み立てが複雑、強度が低い、座り心地が悪い、外観が劣る、等の問題点があった。
【特許文献１】特開平６−２３７８３２号公報
【特許文献１】特開平９−３２２８３９号公報
【発明の開示】
【発明が解決しようとする課題】
【０００３】
本発明は、１枚のシートを折るだけで組み立てが出来、強度が高く、見栄えの良いダンボール製スツールの提供を目的とする。
【課題を解決するための手段】
【０００４】
本発明は、座部を四角形状に形成するとともに、前記座部を所定高さに支える側壁が、前記座部の各辺から逆三角形の面および前記座部の角部から該角部を頂点とする三角形の面で形成され、１枚のシートから折り曲げて組み立てられることを特徴とする。
【０００５】
また、前記シートは、折り線を介して前記座部を形成する少なくとも４つの頂部構成部材からなる座部形成部と、前記側壁を形成する側壁部と、該側壁部を補強する補強部とを備え、前記側壁部における前記逆三角形の面及び三角形の面との境界線を折り曲げることにより、前記頂部構成部材を組み合わせて形成され、前記頂部構成部材は、前記折り線を底辺とする三角形の一辺から台形状に延出させて形成したことを特徴とする。
【発明の効果】
【０００６】
本発明は、１枚のダンボールのようなシートを折り曲げて出来るスツールであり、大人の椅子として充分な強度を有するほか、大人が踏み台として使用することも出来る。
また、本発明のスツールは、折るだけで作成可能であり、支柱や枠等を必要とせず、ダンボールの場合など切り口が殆ど外に出ないため外観がよく、使用しない場合はシート状にして保管が出来ると言うメリットがある。
【発明を実施するための最良の形態】
【０００７】
以下、図面を参照して詳細に説明する。
【実施例】
【０００８】
図１は、本発明のスツールをシート状に展開した図である。
図１において、点線は各部材の境界を示しており、点線に沿って折ることによりスツールが完成する。１点鎖線は、各部材内部における図形の境界を示す。
本実施例の素材はダンボールで、本発明のスツールは、図１の展開図のダンボールを点線の折り目に沿って折ることにより作成する。
図１に示す通り、展開図は、三角形と台形を組み合わせた４つの頂部構成部材からなる頂部と、４つの前記頂部構成部材と隣接する５つの二等辺三角形の側部構成部材Ａ、および５つの前記側部構成部材Ａと隣接する４つの二等辺三角形の側部構成部材Ｂとからなる側部と、前記４つの側部構成部材Ｂと隣接する４つの二等辺三角形の側部内面構成部材Ａと、４つの側部内面構成部材Ａと隣接する三角形をした８つの側部内面構成部材Ｂとからなる側部内面と、から構成される。
【０００９】
展開図に示す三角形及び台形の寸法は以下のように設定する。
頂部構成部材は、台形と三角形から構成され、台形は、上底をａ−ｔ−ｄ、下底をａ−ｔ、高さをａ／２−ｔとし、三角形は、底辺をａ、高さをｄ、頂点Ｐから下ろした垂線が底辺と交わる点が底辺の中心よりｔだけ図１において底辺の左側にずれた三角形とし、台形の斜辺と三角形の短い方の斜辺を結合させたものとする。
ここで、ａは三角形の底辺で、組み立て後のスツールの頂部及び底部を形成する正方形の１辺に該当し、任意の値に設定できる数値であるが本実施例では４０ｃｍとした。本実施例では、ε＝ｔとした。εは、組み立てに必要な遊びであり、構成部材の厚みと同程度である。頂点Ｐへの各部材の重なりを逃がす働きをするものである。
ｔは素材の板厚で本実施例では５ｍｍのものを使用した。
ｄは三角形の高さを示し、ａ／２−ｔより１９．５ｃｍとなる。
【００１０】
三角形の側部構成部材Ａと三角形の側部構成部材Ｂは合同で、底辺がａ＝４０ｃｍ、高さがｂの二等辺三角形である。
ここで、図３より、ｂは任意に決定できる組み立て後のスツールの高さｈから下記（数１）で算定できる。本実施例では高さｈを３５ｃｍとしたため、ｂは下記の式より３６ｃｍとなる。ただし、ｃ＝８．２８ｃｍ    
ｂ＝（ｈ２＋ｃ２）１／２      ただし、ｃ＝１／２（２１／２―１）ａ
次に、三角形の側部内面構成部材Ａは、底辺がａ＝４０ｃｍ、高さがｂ’の二等辺三角形であり、ｂ’＝｛ｈ２＋（ａ／２）２｝１／２であるため、本実施例では、ｂ’は４０．３ｃｍとなる。
三角形の側部内面構成部材Ｂは、側部内面構成部材Ａの二等辺三角形を垂線で２分割した直角三角形において垂線の長さをｂ＝３６ｃｍとした三角形となる。
【００１１】
次に各部材の配列方法について説明する。
４つの頂部構成部材２は、台形と隣接する三角形の第２辺１１が、各々４つの側部構成部材Ａ３の第１辺１２と隣接する。
４つの頂部構成部材２と隣接する４つの側部構成部材Ａ３を含む５つの側部構成部材Ａ３は、４つの側部構成部材Ｂ４を交互に挟んで図１に示す通り横並びするように配置する。この際、側部構成部材Ａ３の第３辺１４を側部構成部材Ｂ４の第１辺１５に、側部構成部材Ａ３の第２辺１３を側部構成部材Ｂ４の第２辺１６に、各々隣接させる。
図１の右端には、頂部構成部材２を１つ追加して全部で５つとすることが出来る。あるいは５つ目の頂部構成部材として２辺がａ、ａ−ｔの長方形を配置することが出来る。これは、頂部最下部を構成するもので、頂部（座面）の強度を増すために付加されるものであるが、強度の高い素材の場合には省略しても良い、
また、図１で、右端または左端の側部内面構成部材Ｂ６またはＢ７は、一枚が冗長な組み立て時の補強であるが、組み立てを容易にするために何れか一方を省略しても良い。
図１に示す通り、側部構成部材Ａ３の第１辺１２と、側部構成部材Ｂ４の第３辺１７は一直線上に並ぶ。
【００１２】
図１において、４つの側部構成部材Ｂ４の三角形の第３辺１７は、４つの側部内面構成部材Ａ５の三角形の第１辺１８と各々隣接するように配置するが、４つの側部内面構成部材Ａ５の三角形の第１辺１８は１直線なるように４つの側部内面構成部材Ａ５を配列する。
また、側部内面構成部材Ａ５の４つは、側部内面構成部材Ａ５の三角形の第１辺１８が側部構成部材Ｂ４の三角形の第３辺１７と隣接し、側部内面構成部材Ａ５の三角形の第２辺１９と第３辺２０は側部内面構成部材Ｂ６の第１辺（斜辺）２１と隣接し、４つの側部内面構成部材Ａ５の第１辺１８が１直線上に配列されるように配置する。
【００１３】
側部内面構成部材Ｂ６の８つの三角形は、最小角をなす頂点を４つの側部内面構成部材Ａ５の第１辺が１８なす１直線上に置き、三角形の斜辺２１を側部内面構成部材Ａ５の第２辺１９、第３辺２０と隣接させ、４つの側部内面構成部材Ａ５の間に挟まれる側部内面構成部材Ｂ６の６つの三角形６は２つずつ第２辺２２を隣接させて配置する。
【００１４】
組み立てた状態で、４つの頂部構成部材２は頂部表面部を形成し、５つの側部構成部材Ａ３の内の４つの三角形の第２辺１３と第３辺１４が、５つの側部構成部材Ｂ４の内の４つの三角形の第１辺１５と第２辺１６と交互に隣接して８つの側部表面を形成し、残り１つの側部構成部材Ａ３が、側部表面の内側に潜入して側部を形成する。
また、４つの側部内面構成部材Ａ５が側部内表面を形成し、４つの側部内面構成部材Ａ５の間に挟まれた６つの側部内面構成部材Ｂ６と４つの側部内面構成部材Ａ５の両端の２つの側部内面構成部材Ｂ６が側部の内側に潜入して側部内面を構成することになる。
なお、本発明は、１枚のダンボールのようなシートを折り曲げて出来るスツールに関するものであるが、展開シートが１枚のシートから型取りできない場合は、複数のシートを張り合わせて前記展開シートを作成することも含まれるものとする。
【００１５】
次に本実施例によるダンボール製スツールの組み立て方を図２、３を参照して説明する。
図１の展開シートで、頂部構成部材２は左端部から１０１，１０２，１０３，１０４，１０５、側部構成部材Ａ３は、左端部から１１１，１１２，１１３，１１４，１１５，側部構成部材Ｂ４は、左端部から１２１，１２２，１２３，１２４，１２５，側部内面構成部材Ａ５は、左端部から１３１，１３２，１３３，１３４，側部内面構成部材Ｂ６は、左端部から１４１，１４２，１４３，１４４，１４５，１４６，１４７，１４８とする。
実施例では、頂部構成部材２の１０５，側部構成部材Ｂ４の１２５を追加した場合について説明する。
また、紙面の垂直上方向に折り曲げることを内部に折り曲げると定義して説明する。
【００１６】
まず、図２、３に示すように、図１の展開シートの右端部の１０５，１１５，１２５を内側に折り曲げる。
次に、５つの頂部構成部材を点線部である第２辺１１から内部に直角に折り曲げるとともに、側部内面構成部材Ａ５の１３１〜１３４及び側部内面構成部材Ｂの１４１〜１４８を内側に、側部構成部材Ａ３の１１１〜１１５、側部構成部材Ｂ４の１２１〜１２５に重なるように折り曲げる。
側部構成部材Ａ３の１１５，側部構成部材Ｂ４の１２５をさらに折り込み、頂部構成部材１０５の先端を頂部構成部材１０４の内部（下部）に、頂部構成部材１０４の先端を頂部構成部材１０３の内部（下部）に、頂部構成部材１０３の先端を頂部構成部材１０２の内部（下部）に、頂部構成部材１０２の先端を頂部構成部材１０１の内部（下部）に、頂部構成部材１０１の先端を、頂部構成部材１０４の内部（下部）に順次挿入した状態で、側部構成部材Ｂ４の１２５を左端の側部構成部材Ｂ４の１２１の内側に、側部構成部材Ａ３の１１５を、左端の側部構成部材Ａ３の１１１の内側に挿入すると、同時に、頂部構成部材２の１０１〜１０４の台形部及び１０５の長方形が各々頂部構成部材２の１０１〜１０４の三角部の内部（下部）に挿入され、組み立てが完成する。
【００１７】
本発明のスツールでは、５つの側部構成部材Ａ３と５つの側部構成部材Ｂ４、４つの側部内面構成部材Ａ５、８つの側部内面構成部材Ｂ６がスツール頂部にかかる荷重を支える構造となっている。しかも、側部内面構成部材Ａ５、Ｂ６は、頂部四角形（正方形）の２つの対角線上で荷重を支える構造であるために、体重による頂部正方形内の歪みは最小に抑えられるようになっている。
このため、大人の椅子として充分な強度を有するほか、大人が踏み台として使用することも出来る。
【図面の簡単な説明】
【００１８】
【図１】本発明のシートの展開図である。
【図２】本発明の実施例の組み立て手順を示す図である。
【図３】本発明の実施例の組み立て手順を示す図である。
【図４】各部材の関連を示す図面である。
【符号の説明】
【００１９】
１  シート展開図
２  頂部構成部材
３  側部構成部材Ａ
４  側部構成部材Ｂ
５  側部内面構成部材Ａ
６  側部内面構成部材Ｂ
１０  頂部構成部材の三角形の第１辺
１１  頂部構成部材の三角形の第２辺
１２  側部構成部材Ａの三角形の第１辺
１３  側部構成部材Ａの三角形の第２辺
１４  側部構成部材Ａの三角形の第３辺
１５  側部構成部材Ｂの三角形の第１辺
１６  側部構成部材Ｂの三角形の第２辺
１７  側部構成部材Ｂの三角形の第３辺
１８  側部内面構成部材Ａ三角形の第１辺
１９  側部内面構成部材Ａ三角形の第２辺
２０  側部内面構成部材Ａ三角形の第３辺
２１  側部内面構成部材Ｂ三角形の第１辺
２２  側部内面構成部材Ｂ三角形の第２辺
２３  側部内面構成部材Ｂ三角形の第３辺
１０１，１０２，１０３，１０４，１０５  頂部構成部材
１１１，１１２，１１３，１１４，１１５  側部構成部材Ａ
１２１，１２２，１２３，１２４，１２５  側部構成部材Ｂ
１３１，１３２，１３３，１３４  側部内面構成部材Ａ
１４１，１４２，１４３，１４４，１４５，１４６，１４７，１４８  側部内面構成部材Ｂ
ａ  頂部構成部材の三角形の第２辺、側部構成部材Ａの三角形の第１辺、側部構成部材Ｂの三角形の第３辺
ｂ  側部構成部材Ａの三角形と、側部構成部材Ｂ三角形の高さ
ｂ‘  側部内面構成部材Ａの高さ＝｛ｈ２＋（ａ／２）２｝１／２
ｃ  ＝１／２（２１／２―１）ａ
ｄ  頂部構成部材の三角形の高さ
ｈ  スツールの高さ
ｔ  ダンボール厚
ε  ずれ
【図１】
2007244779.tif 000003
【図４】
2007244779.tif 000004
【図２】
2007244779.tif 000005
【図３】
2007244779.tif 000006